(57)【要約】【課題】バッテリー駆動において、バッテリーの電圧値が規定範囲外であったとき、機械的に通電遮断を行なうことにより負荷を停止させるか、制御信号を使用して負荷を停止させる制御であったため、通電遮断関係の部品故障が生じた場合、負荷停止を行なうことができず、また制御信号による停止制御は、常に制御電源を要する。【解決手段】規定電圧範囲外であったとき、機械的に通電遮断を行なうことに加えて、通電遮断信号を制御機器へも入力し、通常は機械的な通電遮断によって制御機器への通電を遮断し、機械的な動作故障時には制御機器によって負荷を停止させ、バッテリーの負荷軽減、保護機能を強化した。【選択図】図１
2010233290.tif 000002
【特許請求の範囲】
【請求項１】
バッテリーと、前記バッテリーの出力電圧値を検出する電圧検出手段と、前記バッテリーの規定範囲内の電圧値を電源とする負荷と、前記バッテリーの出力電圧値が前記規定範囲外の電圧値の場合に、前記負荷の運転停止動作を行なう制御手段と、前記電圧検出手段により検出された電圧値が、前記規定範囲外の電圧値の場合に、通電遮断信号を出力する通電遮断手段と、前記通電遮断手段の通電遮断信号を入力し、前記制御手段の制御機能を停止する信号を前記制御手段へ出力する通電遮断部と、前記電圧検出手段が検出した電圧値を、前記制御手段へ伝達する伝達手段を具備したバッテリー駆動装置。
【請求項２】
前記バッテリーの出力電圧値が前記規定範囲外の電圧値の場合に、前記制御手段により電圧値が異常であることを表示する表示手段を設けた請求項１に記載のバッテリー駆動装置。
【請求項３】
前記電圧検出手段により検出した電圧値が、規定範囲外の電圧値から規定範囲内の電圧値に復帰したとき、前記制御手段を初期化するようにした請求項１または２に記載のバッテリー駆動装置。
【請求項４】
前記電圧検出手段により、規定範囲内の電圧域から規定範囲内の異なる電圧域を検出したとき、前記制御手段によって前記負荷を初期化する請求項１から３のいずれか一項に記載のバッテリー駆動装置。
【発明の詳細な説明】
【技術分野】
【０００１】
本発明は、バッテリー等を電源とする機器に搭載されるバッテリー駆動装置に関する。
【背景技術】
【０００２】
一般に、バッテリーで駆動する機器においては、バッテリーの出力電圧を検出する手段を設け、検出した電圧値に対応した動作を行なう機能が設けられている。
【０００３】
例えば、検出した電圧に対応して機械的に電源を遮断することにより、バッテリーの規定範囲外の電圧印加による誤作動や不具合の防止を行なう技術が知られている（例えば、特許文献１参照）。
【０００４】
さらに、制御入力によって異常有無の判断を行ない、マイクロコンピュータにより電源をＯＦＦした時、同様の動作として負荷動作を停止させる、もしくは対応した動作をさせる技術も知られている（例えば、特許文献２参照）。
【０００５】
このような構成は、いずれもバッテリーの電圧値が、規定範囲外の電圧値による誤作動や不具合の防止を目的とするものである。
【特許文献１】特開２００７−２３７８７５号公報
【特許文献２】特開２００７−１３７０９３号公報
【発明の開示】
【発明が解決しようとする課題】
【０００６】
しかしながら、上記特許文献１、２の構成は、機械的に電圧検出による制御を行なう動作部分が故障していた場合、制御部は対応した動作が行なえず、故障のまま動作を続けることになる。また、制御部による動作が故障していた場合は、意図しない動作となってしまう恐れがある。
【０００７】
したがって、電圧検出動作が正常であっても、それを実行する動作箇所が故障していた場合は、その機能が失われていた。
【０００８】
また、制御部により、例えば電源を遮断する動作の場合は、バッテリーの出力電圧値が規定範囲外の電圧値であっても、制御部が機能している状態であれば制御部の消費電力は絶えず必要となり、バッテリーには必ず一定の負荷が加わる構成であった。
【０００９】
本発明は、上記従来の課題を解決するもので、電圧検出動作に伴い、電源を遮断する等の動作箇所が故障していた場合でも、正常動作が得られるようにするものである。
【課題を解決するための手段】
【００１０】
上記課題を解決するために本発明は、バッテリーの出力電圧値が規定範囲外の電圧値の場合に、負荷の運転停止動作を制御手段で行う構成に加えて、前記バッテリーの出力電圧値が、前記規定範囲外の電圧値の場合に、通電遮断信号を通電遮断部へ出力し、この通電遮断部より前記制御手段へ該制御手段の制御機能を停止する信号を出力するように構成したものである。
【００１１】
かかることにより、前記バッテリーの出力電圧値が規定範囲外の電圧値の場合、前記負荷の運転停止動作を制御手段で行うことができることに加えて、前記通電遮断部からの信号により前記制御手段の制御機能を停止し、前記負荷の運転を停止することができる。
【発明の効果】
【００１２】
本発明のバッテリー駆動装置は、バッテリーの出力電圧値が規定範囲外の電圧値の場合、通電遮断部からの信号により制御手段の制御機能を停止して負荷の運転を停止するため、前記バッテリーの出力電圧値が前記規定範囲外の電圧値の場合において、通電遮断手段、あるいは通電遮断部の故障等に起因し、負荷の運転停止ができない状態となった場合であっても、制御手段が前記検出電圧値を認識して負荷の運転を停止するため、バッテリー駆動装置の信頼性、安全性を高めることができる。
【００１３】
また、前記通電遮断部からの信号による制御手段の停止に伴って負荷の運転を停止した場合は、制御手段の制御機能が停止しているため、制御手段によるバッテリーの電力消費が抑制でき、待機電力消費量を低減することができる。
【発明を実施するための最良の形態】
【００１４】
請求項１に記載の発明は、バッテリーと、前記バッテリーの出力電圧値を検出する電圧検出手段と、前記バッテリーの規定範囲内の電圧値を電源とする負荷と、前記バッテリーの出力電圧値が前記規定範囲外の電圧値の場合に、前記負荷の運転停止動作を行なう制御手段と、前記電圧検出手段により検出された電圧値が、前記規定範囲外の電圧値の場合に、通電遮断信号を出力する通電遮断手段と、前記通電遮断手段の通電遮断信号を入力し、前記制御手段の制御機能を停止する信号を前記制御手段へ出力する通電遮断部と、前記電圧検出手段が検出した電圧値を、前記制御手段へ伝達する伝達手段を具備したものである。
【００１５】
かかる構成とすることにより、前記バッテリーの出力電圧値が規定範囲外の電圧値の場合、前記通電遮断部からの信号により前記制御手段の制御機能を停止し、前記負荷の運転を停止することができる。
【００１６】
したがって、前記バッテリーの出力電圧値が前記規定範囲外の電圧値の場合において、前記通電遮断手段、あるいは通電遮断部の故障等に起因し、負荷の運転停止ができない状態となった場合であっても、前記伝達手段からの信号により、前記制御手段は前記検出電圧値を認識して負荷の運転を停止することができ、バッテリー駆動装置の信頼性、安全性を高めることができる。
【００１７】
また、前記通電遮断部からの信号による制御手段の停止に伴って負荷の運転を停止した場合は、制御手段の制御機能が停止しているため、制御手段によるバッテリーの電力消費が抑制でき、待機電力消費量を低減することができる。
【００１８】
請求項２に記載の発明は、請求項１に記載の発明において、前記バッテリーの出力電圧値が前記規定範囲外の電圧値の場合に、前記制御手段により電圧値が異常であることを表示する表示手段を設けたものである。
【００１９】
かかることにより、前記表示手段が表示動作を行なう場合は、前記制御手段が動作しているときであり、通電遮断部が正常に動作しているときに表示手段が動作することはない。また、前記電圧検出手段により、前記通電遮断手段が認識できない電圧値が検出された場合は、前記制御手段によって電圧値の異常を認識し、表示することができる。
【００２０】
したがって、前記バッテリーの出力電圧値が規定範囲外の場合において、通電遮断部からの通電遮断信号が出力されていない異常動作情報と、前記通電遮断手段が認識できない電圧値異常情報を表示することができ、異常対応処理を容易とすることができる。
【００２１】
請求項３に記載の発明は、請求項１または２に記載の発明において、前記電圧検出手段により検出した電圧値が、規定範囲外の電圧値から規定範囲内の電圧値に復帰したとき、前記制御手段を初期化するようにしたものである。
【００２２】
かかることにより、制御手段の誤動作のリスクを軽減することができる。
【００２３】
請求項４に記載の発明は、請求項１から３のいずれか一項に記載の発明において、前記電圧検出手段により、規定範囲内の電圧域から規定範囲内の異なる電圧域を検出したとき、前記制御手段によって前記負荷を初期化するものである。
【００２４】
かかる構成とすることにより、電圧値の規定範囲内への復帰後において、初期化動作後連続して正規の状態で負荷を制御することができる。したがって、バッテリー駆動装置の再動作を、早期に、かつ安定して行なうことができる。
【００２５】
以下、本発明の実施の形態について、図面を参照しながら説明する。なお、この実施の形態によって本発明が限定されるものではない。
【００２６】
（実施の形態１）
図１は、本発明の実施の形態１におけるバッテリー駆動装置の機能構成を示すブロック回路図である。図２は、同実施の形態１におけるバッテリー駆動装置の動作内容を示すフローチャートである。
なお、本実施の形態１においては、便宜上、バッテリー電源に出力電圧値が異なる２種類のバッテリーが用いられる場合とするが、実際は前記バッテリーの使用が２種類に限られるわけではない。そして、本実施の形態１においては、バッテリーに使用する定格電圧を２７Ｖ、５４Ｖとし、それぞれの規定電圧範囲（バッテリー駆動装置の動作電圧と認める許容電圧範囲）を２４Ｖ〜３０Ｖ、４８Ｖ〜６０Ｖとする。
【００２７】
また、本実施の形態１における通電遮断手段による通電遮断部への遮断電圧値、および制御手段による制御範囲外（規定電圧範囲外）の電圧値については、便宜上定めた値であり、実使用上はこの限りでない。
【００２８】
図１において、バッテリー駆動装置は、バッテリー１の電圧値を検出する電圧検出手段２と、バッテリー１を電源とする負荷７の運転動作の制御を行なう制御手段５と、電圧検出手段２により検出された電圧値を入力し、その電圧値が、負荷７へ通電を行なう電圧値（規定範囲内の電圧値）でない場合に、通電遮断信号を通電遮断部４へ出力する通電遮断手段３と、通電遮断手段３の通電遮断信号を入力し、制御手段５へ該制御手段５の制御機能を停止する信号を出力する通電遮断部４と、電圧検出手段２が検出した電圧値を、制御手段５へ伝達する伝達手段６と、通電遮断手段３の通電遮断信号による通電遮断部４の遮断動作の不良、および電圧検出手段２が検出した電圧値の異常を、制御手段５を介して表示する表示手段８を具備している。
【００２９】
また、制御手段５は、電圧検出手段２の検出電圧値が規定範囲外の電圧値の場合に、負荷７の動作を停止する機能を具備している。
【００３０】
なお、以下においては、制御を行なう部位である制御手段５、負荷７、および表示手段８をブロック化し、制御ブロック９と称して説明する。
【００３１】
上記構成において、図２を参照しながらバッテリー駆動装置における主要な動作の概要について説明する。
【００３２】
バッテリー駆動装置は、上述の如くバッテリー１を電源とし、２４Ｖ〜３０Ｖ、または４８Ｖ〜６０Ｖの電圧値を規定範囲内の電圧とし、この規定範囲内の電圧により動作することを基調としているものである。そして、通電遮断手段３が通電遮断信号を出力する箇所は、通電遮断部４であり、遮断信号を入力した通電遮断部４は通電遮断動作を行なう。この通電遮断部４の遮断動作により、制御手段５の動作機能が停止され、その結果、制御ブロック９を構成する全ての負荷７への通電が停止される。
【００３３】
図２において、Ｓｔｅｐ１では、初期動作として通電遮断手段３、および制御手段５の動作を決定するため、電圧検出手段２によりバッテリー１の電圧検出を行なう。
【００３４】
そして、Ｓｔｅｐ２において、電圧検出手段２により検出された電圧値が、規定範囲内の電圧値であるか否かを判定する。すなわち、電圧値が２４Ｖ未満、もしくは３０Ｖ〜４８Ｖの範囲であった場合は、Ｓｔｅｐ３へ移行する。
【００３５】
Ｓｔｅｐ３では、上述の如く本実施の形態１における規定の電圧範囲が２４Ｖ〜３０Ｖ、もしくは４８Ｖ〜６０Ｖであるため、通電遮断手段３は、前述の２４Ｖ未満、もしくは３０Ｖ〜４８Ｖの電圧値を異常電圧値とみなし、通電遮断部４へ遮断信号を出力する。その結果、制御手段５の機能が停止し、バッテリー１からの通電が制御ブロック９の手前で遮断される。
【００３６】
また、電圧値が６０Ｖ以上の場合も規定範囲外の電圧値であるが、本実施の形態１においては、通電遮断手段３の動作対象とする電圧値とせず、制御手段５の動作対象電圧値としている。その詳細については、後述する。
【００３７】
なお、周知の如く、検出する規定範囲の電圧値には、その境界において、ヒステリシス等のチャタリング防止、ノイズ対策等を考慮した電圧幅を設定していることは言うまでもない。
【００３８】
そして、Ｓｔｅｐ４では、通電遮断部４が通電遮断された時、制御手段５が動作を行っているかどうかを判断している。すなわち、一般的には、制御ブロック９への通電は、Ｓｔｅｐ３での処理動作（制御手段５の機能停止に伴う遮断動作）によって遮断されているため、通電遮断部４以降には通電されず、制御手段５も停止状態にある。
【００３９】
本実施の形態１においては、通電遮断部４が故障した場合を想定し、伝達手段６を介して制御手段５へも電圧検出手段２が検出した電圧値を伝達している。したがって、伝達手段６が、通電遮断手段３の遮断動作にかかわらず、電圧検出手段２の電圧値を制御手段５へ伝達することにより、制御手段５は、自身が動作する電圧値を予め認識することができる。その結果、制御手段５は、通電遮断手段３により遮断され、制御手段５自身が動作しないはずの電圧値（信号）が入力された場合に、通電遮断部４が動作不良を起こしたことを認識することができる。
【００４０】
したがって、通電遮断手段３による通電遮断部４の遮断動作後に制御手段５が駆動していた場合は、Ｓｔｅｐ５へ移行する。すなわち、通電遮断部４の動作故障により制御手段５が動作を行なっていた場合であるので、駆動している負荷７を停止させ、続いてＳｔｅｐ６へ移行し、通電遮断手段３の通電遮断部４への動作故障を意味する異常表示１の表示を表示手段８にて行なう。ここで異常を表示する異常表示１は、後述する異常表示２と異なる表示内容に設定されている。
【００４１】
また、Ｓｔｅｐ２において、電圧検出手段２による検出電圧値が、規定の範囲内の電圧値（２４Ｖ〜３０Ｖ、もしくは４８Ｖ〜６０Ｖ）であった場合、Ｓｔｅｐ７へ移行する。
【００４２】
Ｓｔｅｐ７は、制御手段５が通電遮断動作した経緯の有無を判定する処理である。すなわち、Ｓｔｅｐ４にて制御手段５が通電遮断部４の動作故障を検出した場合は、Ｓｔｅｐ５、Ｓｔｅｐ６により負荷７を停止させ、異常表示１を行っている状態であり、通電遮断手段３が通電遮断部４へ遮断動作させ、制御ブロック９への電圧を遮断した、所謂規定範囲外の電圧印加により停止状態（正常の停止状態）にある制御手段５の状態とは異なる。したがって、通電遮断部４の故障の有無に関わらず、所定の動作を安定して行なうために、Ｓｔｅｐ７において制御手段５が通電遮断動作した経緯がある場合は、Ｓｔｅｐ８へ移行し、負荷動作および異常表示動作の初期化を行なう。ここでの初期化動作は、一例として説明すると、制御手段５による負荷７および表示手段８への出力を正規のプログラム動作で一旦停止することが相当する。
【００４３】
なお、通電遮断手段３の信号に伴い通電遮断部４が制御手段５を停止動作させる、すなわち通電遮断手段３と通電遮断部４が共に正常な動作を行なっている場合は、異常表示１動作を行なうことがないため、Ｓｔｅｐ９へ移行する。
【００４４】
Ｓｔｅｐ９では、Ｓｔｅｐ２において、電圧検出手段２で検出した電圧値が通電遮断手段３の遮断電圧であるか否かを判定する。そして、電圧検出手段２で検出された電圧値が２４Ｖ〜３０Ｖの範囲であった場合は、規定範囲内の電圧値であり、Ｓｔｅｐ１０へ移行して電圧値２４Ｖ〜３０Ｖに対応した負荷動作１の処理を行なう。また、電圧検出手段２で検出した電圧値が上記の範囲でない場合は、Ｓｔｅｐ１１へ移行する。
【００４５】
Ｓｔｅｐ１１では、Ｓｔｅｐ９と同様に、電圧検出手段２で検出した電圧値が通電遮断手段３の遮断電圧であるか否かを判定する。そして、電圧検出手段２で検出された電圧値が４８Ｖ〜６０Ｖの範囲、すなわち規定範囲内の電圧値であった場合は、Ｓｔｅｐ１２へ移行して電圧値４８Ｖ〜６０Ｖに対応した負荷動作２の処理を行なう。
【００４６】
なお、好ましくは、少なくともこのＳｔｅｐ９、Ｓｔｅｐ１０のフロー、すなわち、規定範囲外の電圧値に伴う動作から規定範囲内の電圧値に伴う動作に移行した場合に、制御手段５を初期化するＳｔｅｐを設ける。この初期化は、共に規定範囲内の電圧値ではあるものの、制御手段５が制御する負荷７の制御内容が異なるため、制御手段５の誤動作リスク軽減の効果が期待できる。具体的には、通電遮断部４によって制御手段５の動作機能を一旦停止し、その後通電遮断部４によって制御手段５を復帰動作させることにより、制御手段５の初期化が行なえる。
【００４７】
また、Ｓｔｅｐ１１で判定される電圧値でなかった場合は、６０Ｖ以上の電圧値であると判定する。すなわち、電圧値６０Ｖ以上は、規定電圧の範囲外と設定しており、Ｓｔｅｐ１３へ移行して制御手段５は、負荷７を停止させ、さらにＳｔｅｐ１４へ移行して表示手段８により異常表示２を行なう。
【００４８】
ここで、異常表示を異常表示１と異常表示２で記載しているが、異常表示１は、バッテリー１の電圧値が規定範囲の下限値以下で通電遮断部４の動作故障が生じた場合を表示し、異常表示２は、通電遮断手段３と通電遮断部４の動作が正常で、バッテリー１の電圧値が規定範囲の上限値以上であることを制御手段５が検出した場合を表示するものである。
【００４９】
また、負荷動作１、負荷動作２は、バッテリー１の電圧値に伴って負荷７の通電制御が異なるために記載しているもので、本実施の形態１においては、複数のヒータを並列に接続した形態を負荷動作１とし、複数のヒータを直列に接続した形態を負荷動作２としている。
【００５０】
次に、バッテリー駆動装置の具体例として図３、図４、図５を用いて説明する。ここで、図３は、本実施の形態１におけるバッテリー駆動装置の回路構成図である。図４は同バッテリー装置の回路における通電遮断部を構成する電源回路の一例を示す回路図である。図５は、同バッテリー装置の回路における切換手段の一例を示す回路図である。
【００５１】
図３において、バッテリー１は、定格電圧が２７Ｖのもので、２つの電位Ｖ＋、Ｖ−を出力する周知の構成である。これは、定格電圧を５４Ｖとするバッテリー１の場合も同じ構成である。
【００５２】
電圧検知手段２は、４つのコンパレータ２０、２１、２２、２３を使用した回路である。コンパレータ２０は、＋側の入力電圧値に対して−側の入力電圧値が上回った場合に、コンパレータ２０の出力電圧値（以下、出力値と称す）をＶｂから「０（ゼロ）」へ反転し、下回った場合にコンパレータの出力値が「０」からＶｂへ反転する動作を行なう。このコンパレータ２０の構成は、周知であり、説明を省略する。また、コンパレータ２１、２２、２３についても、コンパレータ２０と同様の回路であり、各コンパレータ２１、２２、２３の出力値を反転させる条件についても、同様に＋側の入力電圧値に対する−側の入力電圧値により決定されるものである。ここで、便宜上、コンパレータ２０、２１、２２、２３の＋側の入力電圧値を基準電圧、−側の入力電圧値を動作電圧と定義する。
【００５３】
また、一般的にコンパレータ回路には、ノイズの重畳防止、およびチャタリング防止のために、基準電圧に対して動作電圧が上回った場合、あるいは基準電圧に対して動作電圧が下回った場合に、コンパレータの出力値の反転に伴う値に対して若干の差をもたせるヒステリシスを加味した値に設定できることは言うまでない。
【００５４】
換言すると、電圧検出手段２は、バッテリー１の電圧の電位Ｖ＋、Ｖ−を４種のコンパレータ回路にて検出するもので、電位Ｖ−を基準にし、ツェナーダイオード２４および電解コンデンサ２５によって生成された一定電位をコンパレータ２０、２１、２２、２３の４つの＋側の入力回路へ与える。この時の電圧は、通電遮断部４の電圧値Ｖｂとなる。
【００５５】
また、コンパレータ２０の＋側の入力電圧値は、通電遮断部４より供給される電圧値Ｖｂと、前述した一定電位と抵抗２６、２７、２８によって設定された電圧値のいずれかとなり、コンパレータ２０の＋側へ入力される。この入力された電圧値が、コンパレータ２０を動作させるかどうかを決定する基準電圧となる。
【００５６】
この基準電圧の設定は、コンパレータ２１、２２、２３についてもコンパレータ２０と同様であり、コンパレータ２１の基準電圧は、通電遮断部４より供給される電圧値Ｖｂ、もしくは前述した一定電位と抵抗２６、２９、３０によって設定された電圧値で、コンパレータ２１の＋側に入力される電圧値であり、また、コンパレータ２２の基準電圧についても、通電遮断部４より供給される電圧値Ｖｂ、もしくは前述した一定電位と抵抗２６、３１、３２によって設定された電圧値で、コンパレータ２２の＋側に入力される電圧値であり、さらに、コンパレータ２３の基準電圧についても、通電遮断部４より供給される電圧値Ｖｂ、もしくは前述した一定電位と抵抗２６、３３、３４によって設定された電圧値で、コンパレータ２３の＋側に入力される電圧値である。
【００５７】
また、コンパレータ２０の−側の入力電圧値は、電位Ｖ＋とＶ‐の差、すなわち、バッテリー１の電圧値（本実施の形態１においては２７Ｖおよび５４Ｖ）を基調とし、具体的には、バッテリー電圧値を抵抗３５、３６で分圧して入力される電圧値であり、これがコンパレータ２０の動作電圧となる。
【００５８】
この動作電圧の設定は、コンパレータ２１、２２、２３に対してもコンパレータ２０と
同様であり、コンパレータ２１の動作電圧は、バッテリー１の電圧値を抵抗３７、３８で分圧してコンパレータ２１の−側に入力される電圧値であり、また、コンパレータ２２の動作電圧は、バッテリー１の電圧値を抵抗３９、４０で分圧してコンパレータ２２の−側に入力される電圧値であり、さらに、コンパレータ２３の動作電圧は、バッテリー１の電圧値を抵抗４１、４２で分圧してコンパレータ２３の−側に入力される電圧値である。
【００５９】
なお、コンパレータ２０は、バッテリー１の出力電圧が２４Ｖより高いか、低いかでその出力値を反転させるように設計した回路であり、コンパレータ２１は、バッテリー１の出力電圧が３０Ｖより高いか、低いかでその出力値を反転させるように設計した回路であり、また、コンパレータ２２は、バッテリー１の出力電圧が４８Ｖより高いか、低いかでその出力値を反転させるように設計した回路であり、さらに、コンパレータ２３は、バッテリー１の出力電圧が６０Ｖより高いか、低いかでその出力値を反転させるように設計した回路である。
【００６０】
通電遮断手段３は、ロジックＩＣ４３、４４、４５、４６、４７、４８の６つのロジックＩＣを使用した回路（ＩＣ回路）で形成されている。
【００６１】
ロジックＩＣ４３、４４は共にＮＯＴ回路であり、ロジックＩＣ４３はコンパレータ２０の出力値を入力し、値を反転させて出力する構成であり、ロジックＩＣ４４はコンパレータ２１の出力値を入力し、値を反転させて出力する構成である。
【００６２】
ロジックＩＣ４５、４６、４７、４８は共にＡＮＤ回路であり、ロジックＩＣ４５は、コンパレータ２０の出力値とコンパレータ２１の出力値を入力し、共に入力が電圧値Ｖｂであった時のみ電圧値Ｖｂの信号を出力する構成であり、ロジックＩＣ４６は、ロジックＩＣ４３の出力値とロジックＩＣ４４の出力値を入力し、共に入力が電圧値Ｖｂであった時のみ電圧値Ｖｂの信号を出力する構成であり、また、ロジックＩＣ４７は、ロジックＩＣ４５の出力値とコンパレータ２２の出力値を入力し、共に入力が電圧値Ｖｂであった時のみ電圧値Ｖｂの信号を出力する構成であり、さらに、ロジックＩＣ４８は、ロジックＩＣ４６の出力値とコンパレータ２２の出力値を入力し、共に入力が電圧値Ｖｂであった時のみ電圧値Ｖｂの信号を出力する構成である。
【００６３】
また、ダイオード４９、５０および抵抗５１は、ＯＲ回路を形成しており、ロジックＩＣ４７の出力値とロジックＩＣ４８の出力値を入力し、いずれかの入力が電圧値Ｖｂであった時に電圧値Ｖｂの信号を出力する構成である。前述のＯＲ回路から出力された電圧値Ｖｂの信号は、通電遮断部４のポートＴｒに入力される。これにより、通電遮断部４は電圧Ｖｃの出力を遮断する。また、この通電遮断部４の電圧Ｖｃの出力遮断により、制御手段５の機能も停止する。
【００６４】
また、ロジックＩＣ４５、４６、４７、４８において、それぞれの入力回路には、保護抵抗を設けている。すなわち、ロジックＩＣ４５には、保護抵抗５２、５３が、ロジックＩＣ４６には、保護抵抗５４、５５が、ロジックＩＣ４７には、保護抵抗５６、５７が、ロジックＩＣ４８には、保護抵抗５８、５９がそれぞれ設けられている。保護抵抗６０は、ダイオード４９、５０および抵抗５１で構成されたＯＲ回路の出力回路の保護抵抗である。
【００６５】
通電遮断部４は、図５に示す如く周知の構成からなる電源回路４ａを具備し、この電源回路４ａを駆動するスイッチングトランジスタ４ｂのＯＦＦ動作に伴い、前述の如く通電遮断部４の電圧Ｖｃの出力が遮断され、制御手段５の機能が停止する。通電遮断部４のポートＴｒは、スイッチングトランジスタ４ｂのベースに相当する。
【００６６】
制御手段５は、マイクロコンピュータを主体とする回路構成となっており、少なくとも４本の入力ポートＰ０１、Ｐ０２、Ｐ０３、Ｐ０４と２本の出力ポートＰ１０、Ｐ２０を具備している。各入力ポートＰ０１、Ｐ０２、Ｐ０３、Ｐ０４は、伝達手段６に接続され、伝達手段６からの信号を入力する。また、出力ポートＰ１０には、表示手段８が接続され、出力ポート２０には、負荷７を構成する切換手段１０が接続されている。
【００６７】
伝達手段６は、複数のフォトカプラ６５、６６、６７、６８を主体に構成され、フォトカプラ６５、６６、６７、６８の受光側（スイッチ側）は、制御手段５の入力ポートＰ０１、Ｐ０２、Ｐ０３、Ｐ０４にそれぞれ対応して接続され、また、フォトカプラ６５、６６、６７、６８の発光側には、保護抵抗６１、６２、６３、６４をそれぞれ介して通電遮断手段４の出力信号（電圧値）Ｖｂが入力される。また、複数のフォトカプラ６５、６６、６７、６８の受光側（スイッチ側）は、それぞれプルアップ抵抗６９、７０、７１、７２を介して通電遮断部３の制御電位ポートＶｃに接続されている。
【００６８】
したがって、制御手段５の入力ポートＰ０１、Ｐ０２、Ｐ０３、Ｐ０４には、伝達手段６によるロジックの組合せ信号が入力される。
【００６９】
負荷７は、制御手段５により主にその通電が制御されるもので、複数のヒータＨ１、Ｈ２と、このヒータＨ１、Ｈ２の通電回路を切換える切換手段１０を具備している。切換手段１０は、図５に示すように、各ヒータＨ１、Ｈ２を挟むように接続された半導体リレー７ａ、７ｂ、７ｃ、７ｄと、一方のヒータＨ２と並列に接続された半導体リレー７ｅと、各半導体リレー７ａ、７ｂ、７ｃ、７ｄ、７ｅの通電動作（ＯＮ・ＯＦＦ）信号を出力する制御手段５の信号出力機能を主体に構成されている。
【００７０】
そして、半導体リレー７ａ、７ｅをＯＮ動作（導通）することにより、ヒータＨ１、Ｈ２の直列接続回路１２が形成され、また、半導体リレー７ａ、７ｂ、７ｃ、７ｄをそれぞれＯＮ動作（導通）することにより、ヒータＨ１、Ｈ２の並列接続回路１１が形成される。
【００７１】
この直列接続回路１２、並列接続回路１１の形成は、制御手段５からの信号によりバッテリー１の電圧に応じて形成することができる。例えば、バッテリー１の電圧が高い場合は、５４Ｖ仕様の直列接続回路１２を形成し、バッテリー１の電圧が低い場合は、２７Ｖ仕様の並列接続回路１１を形成することにより、ヒータＨ１、Ｈ２に作用する熱応力（熱負荷）の範囲を所定の範囲とすることができ、ヒータＨ１、Ｈ２の劣化進行を抑制することができる。
【００７２】
表示手段８は、図２で説明したように、バッテリー１の電圧値が規定範囲の下限値以下で通電遮断部４の動作故障が生じた場合を表示する異常表示１と、通電遮断手段３と通電遮断部４の動作に異常がなく、バッテリー１の電圧値が規定範囲の上限値以上であることを制御手段５が検出した場合を表示する異常表示２を主体に表示するようにしているが、必要に応じて正常であること等を表示することもできる。具体的には、周知のＬＥＤ表示装置等で構成することができる。
【００７３】
次に、上記バッテリー駆動装置の動作について説明する。バッテリーに使用する定格電圧は、前述の如く、２７Ｖ、５４Ｖで、それぞれの許容電圧範囲を２４Ｖ〜３０Ｖ、４８Ｖ〜６０Ｖとするものである。なお、負荷７においては、上述の如く、切換手段１０により、バッテリー１の電圧が２４Ｖ〜３０Ｖの範囲であった場合には、ヒータＨ１、Ｈ２を並列接続回路１１へと切換え、並列接続による負荷動作を行ない、また、バッテリー１の電圧が４８Ｖ〜６０Ｖの範囲であった場合には、ヒータＨ１，Ｈ２を直列接続回路１２へと切換え、直列接続による負荷動作を行なうものとして説明する。
【００７４】
バッテリー１の電圧は、電圧検出手段２へ入力され、その検出結果の信号は、通電遮断手段３と、伝達手段６へ入力される。また、伝達手段６の出力は、制御手段５に入力される。電圧検出手段２からは、４種の信号が出力され、それぞれの信号の出力値（電圧値）はＶｂもしくは「０」であり、それらの組合せにより４種の信号が形成されるもので、その信号の出力値（電圧値）Ｖｂが通電遮断手段３から通電遮断部４のポートＴｒに出力された時、通電遮断部４はＶｃの電圧を遮断し、制御手段５への電源の供給を遮断する。制御手段５への電源の供給が停止すると、制御ブロック９は機能しなくなり、負荷７、表示手段８はいずれも停止する。
【００７５】
すなわち、バッテリー１の出力電圧が２４Ｖより低い電圧値であった場合、コンパレータ２０、２１、２２、２３の出力値はいずれもＶｂとなる。したがって、コンパレータ２０、２１の出力値がＶｂの場合、ロジックＩＣ４５は電圧値Ｖｂの信号を出力し、ロジックＩＣ４３、４４の出力値は「０」となり、ロジックＩＣ４６は出力値「０」の信号を出力する。
【００７６】
また、出力ロジックＩＣ４７は、ロジックＩＣ４５、コンパレータ２２の出力値がＶｂであるため、電圧値Ｖｂの信号を出力し、さらに、出力ロジックＩＣ４８は、ロジックＩＣ４６の出力値が「０」、コンパレータ２２の出力値がＶｂであるため、出力値「０」の信号を出力する。
【００７７】
これにより、通電遮断手段３のＯＲ回路の出力回路からは、電圧値Ｖｂの信号が出力され、通電遮断部４のポートＴｒに電圧値Ｖｂの信号が入力される。その結果、図４のスイッチングトランジスタ４ｂがＯＮ動作し、通電遮断部４は電圧Ｖｃの出力を停止する。これに伴い、制御手段５もその機能を停止し、制御ブロック９を停止させる。
【００７８】
また、バッテリー１の電圧が２４Ｖから３０Ｖの間、所謂２７Ｖ仕様における負荷７（ヒータ１１、１２の並列接続回路構成）の規定電圧の範囲内であった場合、コンパレータ２０の出力値は「０」となり、コンパレータ２１、２２、２３の出力値はいずれもＶｂとなる。したがって、コンパレータ２０の出力値が「０」の場合、コンパレータ２１の出力値はＶｂとなり、ロジックＩＣ４５は出力値「０」の信号を出力する。
【００７９】
さらに、ロジックＩＣ４６は、ロジックＩＣ４３の出力値がＶｂであり、ロジックＩＣ４４の出力値が「０」であるため、出力値「０」の信号を出力し、また、出力ロジックＩＣ４７は、ロジックＩＣ４５の出力値が「０」であり、コンパレータ２２の出力値がＶｂであるため、出力値「０」の信号を出力し、さらに、出力ロジックＩＣ４８は、ロジックＩＣ４６の出力値が「０」であり、コンパレータ２２の出力値がＶｂであるため、出力値「０」の信号を出力する。
【００８０】
これにより、通電遮断手段３のＯＲ回路の出力回路からは、出力値「０」の信号が出力され、通電遮断部４のポートＴｒに出力値「０」の信号が入力される。その結果、図４のスイッチングトランジスタ４ｂはＯＦＦ動作であり、通電遮断部４は電圧Ｖｃを出力した状態となる。したがって、制御手段５は、所定の機能をもって制御ブロック９の運転を制御する。
【００８１】
さらに、バッテリー１の電圧が３０Ｖから４８Ｖの間、所謂負荷７の２７Ｖ仕様および５４Ｖ仕様に適応しない電圧の範囲であった場合、コンパレータ２０、２１の出力値は共に「０」となり、コンパレータ２２、２３の出力値は共にＶｂとなる。
【００８２】
その結果、コンパレータ２０、２１の出力値が「０」であることから、ロジックＩＣ４
５は出力値「０」の信号を出力する。また、ロジックＩＣ４３、４４の出力値がＶｂであることから、ロジックＩＣ４６は、電圧値Ｖｂの信号を出力する。
【００８３】
また、出力ロジックＩＣ４７は、ロジックＩＣ４５の出力値が「０」であり、コンパレータ２２の出力値がＶｂであることから出力値「０」の信号を出力し、さらに、出力ロジックＩＣ４８は、ロジックＩＣ４６の出力値がＶｂであり、コンパレータ２２の出力値もＶｂであることから、電圧値Ｖｂの信号を出力する。
【００８４】
これにより、通電遮断手段３のＯＲ回路の出力回路からは、電圧値Ｖｂの信号が出力され、通電遮断部４のポートＴｒに電圧値Ｖｂの信号が入力される。その結果、図４のスイッチングトランジスタ４ｂがＯＮ動作し、通電遮断部４は電圧Ｖｃの出力を停止する。これに伴い、制御手段５もその機能を停止し、制御ブロック９を停止させる。
【００８５】
また、バッテリー１の出力電圧が４８Ｖから６０Ｖの間、所謂５４Ｖ仕様における負荷の７（ヒータ１１、１２の直列接続回路構成）の規定電圧の範囲内であった場合、コンパレータ２０、２１、２２それぞれの出力値はいずれも「０」となり、コンパレータ２３の出力値はＶｂとなる。したがって、コンパレータ２０、２１の出力値が「０」の場合、ロジックＩＣ４５は、出力値「０」の信号を出力する。
【００８６】
さらに、ロジックＩＣ４６は、ロジックＩＣ４３、４４の出力値がＶｂであることから出力値Ｖｂの信号を出力し、また、出力ロジックＩＣ４７は、ロジックＩＣ４５、およびコンパレータ２２の出力値が共に「０」であることから出力値「０」の信号を出力し、さらに、出力ロジックＩＣ４８は、ロジックＩＣ４６の出力値がＶｂであり、コンパレータ２２の出力値が「０」であるため、出力値「０」の信号を出力する。
【００８７】
これにより、通電遮断手段３のＯＲ回路の出力回路からは、出力値「０」の信号が出力され、通電遮断部４のポートＴｒに信号として出力値「０」の信号が入力される。その結果、図４のスイッチングトランジスタ４ｂはＯＦＦ動作であり、通電遮断部４は電圧Ｖｃを出力した状態となる。したがって、制御手段５は、所定の機能をもって制御ブロック９の運転を制御する。
【００８８】
さらに、バッテリー１の出力電圧が６０Ｖより高い、所謂負荷７の５４Ｖ仕様に適応しない電圧の範囲であった場合、コンパレータ２０、２１、２２、２３の出力値は共に「０」となる。そして、コンパレータ２３の出力は、通電遮断手段３の入力信号を形成するものではなく、通電遮断部４の判断信号とはならないため、バッテリー１の電圧が４８Ｖから６０Ｖの間の場合と同様に、通電遮断手段３のＯＲ回路の出力回路からは、出力値「０」の信号が出力され、通電遮断部４のポートＴｒに信号として出力値「０」の信号が入力される。その結果、図４のスイッチングトランジスタ４ｂはＯＦＦ動作となり、通電遮断部４は電圧Ｖｃを出力した状態となる。したがって、制御手段５は、バッテリー１の電圧が規定範囲外の電圧値であることを認識し、所定の機能をもって制御ブロック９への通電を停止する。
【００８９】
上述のように、通電遮断部４が電圧Ｖｃの遮断を行い、制御手段５の機能を停止するバッテリー１の電圧値は、２４Ｖより下の電圧値、および３０Ｖから４８Ｖの範囲にある電圧値となる。この状態は、制御ブロック９が電気的に遮断され、また、制御手段５も停電状態にあって動作不能となるため、規定範囲外の電圧が供給されたときにおける待機消費電力を最小限に抑制することができる。
【００９０】
次に、バッテリー１の電圧値を、伝達手段６を介して制御手段５が認識し、通電遮断部４の動作不良を認識する動作について説明する。
【００９１】
上述の如くバッテリー１が接続された状態において、コンパレータ２０からの出力値がＶｂの場合は、フォトカプラ６５の発光側の両極に電位差がなく、受光側（スイッチ側）は動作しない。その結果、通電遮断部４の電圧Ｖｃが、プルアップ抵抗６９を介して制御手段５の入力ポートＰ０１に入力される。
【００９２】
また、コンパレータ２０から出力された信号値が「０」の場合は、フォトカプラ６５の発光側に電位差が発生して受光側（スイッチ側）がＯＮ動作する。その結果、制御手段５の入力ポートＰ０１には、ＧＮＤと同電位、つまり信号値「０」の信号が入力される。
【００９３】
さらに、コンパレータ２１、２２、２３についても同様であり、コンパレータ２１、２２、２３からの出力値（電圧値）がそれぞれＶｂの場合、制御手段５の各入力ポートＰ０２、Ｐ０３、Ｐ０４には、それぞれ電圧値Ｖｃの信号が入力され、また、コンパレータ２１、２２、２３からの出力値がそれぞれ「０」の場合は、制御手段５の各入力ポートＰ０２、Ｐ０３、Ｐ０４へそれぞれ出力値「０」の信号が入力される。
【００９４】
このように、制御手段５の各入力ポートＰ０１、Ｐ０２、Ｐ０３、Ｐ０４には、伝達手段６により形成されたロジック（「０」と電圧値Ｖｃ）の組合せ信号が入力され、これにより制御手段５は、バッテリー１の電圧値を認識することができる。
【００９５】
したがって、バッテリー１の出力電圧値が２４Ｖよりも低い場合は、制御手段５の各入力ポートＰ０１、Ｐ０２、Ｐ０３、Ｐ０４の入力値が共に電圧値Ｖｃとなり、制御手段５は、バッテリー１の出力電圧が２４Ｖより低い電圧であることを認識する。
【００９６】
通電遮断手段３および通電遮断部４が正常に動作すれば、この場合は上述のバッテリー駆動装置の動作において、バッテリー１の電圧が２４Ｖより低い電圧値の場合で説明したように、電圧検出手段２を構成する各コンパレータ２０、２１、２２、２３の出力値がいずれもＶｂとなることから、通電遮断手段３から通電遮断部４のポートＴｒに電圧値Ｖｂの信号が入力される。その結果、通電遮断部４の電圧Ｖｃの遮断動作に伴い、制御手段５の電源が遮断され、制御手段５は、機能しない状態となる。
【００９７】
しかしながら、上述の如く制御手段５の各入力ポートＰ０１、Ｐ０２、Ｐ０３、Ｐ０４に、電圧値Ｖｃの信号が入力されているにもかかわらず、制御手段５が継続して動作している場合、制御手段５は、通電遮断手段３による通電遮断部４の動作不良として認識し、出力ポートＰ１０より表示手段８へ信号を出力してその旨の異常表示１を行なう。
【００９８】
また、制御手段５は、前述の如く伝達手段６を介してバッテリー１の電圧を認識しており、さらに、規定範囲外の電圧の場合に負荷７の動作を停止するため、出力ポートＰ２０からの出力を停止し、負荷７の動作を停止させる。
【００９９】
この負荷７の動作停止については、図５の場合、制御手段５の出力ポートＰ２０からの信号により、半導体リレー７ａ、７ｂ、７ｃ、７ｄをＯＮ動作させる切換手段１０の信号を停止する動作となる。
【０１００】
したがって、誤って出力電圧が規定範囲よりも低い電圧仕様のバッテリー１を使用した場合、通電遮断手段３による通電遮断部４の動作不良を発見することができ、同時に負荷７を停止させ、バッテリー１の非効率的な電力消費を抑制することができる。
【０１０１】
また、制御手段５において、入力ポートＰ０１の入力値が「０」であり、残る各入力ポートＰ０２、Ｐ０３、Ｐ０４の入力がＶｃの信号である場合、制御手段５は、バッテリー
１の電圧が２４Ｖから３０Ｖの規定範囲内の電圧値であると認識し、通常動作を行なう。すなわち、負荷７の動作を行なうために出力ポートＰ２０より所定の信号を出力し、切換手段１０を動作させてヒータＨ１、Ｈ２を並列接続回路１１とし、バッテリー１の電圧を印加して発熱動作を行なう。
【０１０２】
さらに、制御手段５において、入力ポートＰ０１、Ｐ０２の入力値が「０」であり、入力ポートＰ０３、Ｐ０４の入力がＶｃの信号である場合、制御手段５は、バッテリー１の電圧が３０Ｖから４８Ｖの規定範囲外の電圧値であると認識する。
【０１０３】
ここで、通電遮断手段３および通電遮断部４が正常であればこの場合は、上述の如く、通電遮断手段３から通電遮断部４のポートＴｒに電圧値Ｖｂの信号が入力される。その結果、通電遮断部４の電圧Ｖｃの遮断動作に伴い、制御手段５の電源が遮断され、制御手段５は、機能しない状態となる。
【０１０４】
ところが、上述の如く、制御手段５の入力ポートＰ０１、Ｐ０２の入力値が「０」であり、入力ポートＰ０３、Ｐ０４の入力値（電圧値）がＶｃである、すなわち、バッテリー１の電圧値が規定範囲外の電圧値であるにもかかわらず、制御手段５が動作している場合、制御手段５は、通電遮断手段３による通電遮断部４の動作不良として認識し、出力ポートＰ１０より表示手段８へ信号を出力してその旨の異常表示１を行い、また、出力ポートＰ２０からの出力を停止し、負荷７の動作を停止させる。
【０１０５】
したがって、出力電圧が規定範囲外の電圧仕様のバッテリー１を使用した場合においても、通電遮断手段３による通電遮断部４の動作不良を発見することができ、同時に負荷７を停止させ、バッテリー１の非効率的な電力消費、および負荷７の非効率的な使用を抑制することができる。
【０１０６】
また、各入力ポートＰ０１、Ｐ０２、Ｐ０３、の入力値がいずれも「０」であり、入力ポートＰ０４の入力がＶｃの信号である時、制御手段５は、バッテリー１の出力電圧が４８Ｖから６０Ｖの規定範囲内の電圧であると認識し、通常の動作を行なう。すなわち、負荷７の動作を行なうために出力ポートＰ２０より所定の信号を出力し、切換手段１０を動作させてヒータＨ１、Ｈ２を直列接続回路１２とし、バッテリー１の電圧を印加して発熱動作を行なう。
【０１０７】
さらに、各入力ポートＰ０１、Ｐ０２、Ｐ０３、Ｐ０４の入力値が共に「０」の場合、制御手段５は、バッテリー１の出力電圧が６０Ｖより高い、すなわち規定範囲外の電圧値であると判断する。
【０１０８】
この場合、通電遮断手段３から通電遮断部４のポートＴｒに入力される値は「０」であり、通電遮断部４は電圧Ｖｃの遮断動作を行わないが、制御手段５が規定範囲外の電圧値であることを認識しているため、出力ポートＰ１０より表示手段８にその旨の異常表示２を行なう。
【０１０９】
また、規定範囲外の電圧値においては、負荷７の動作保証ができないため、制御手段５は、出力ポートＰ２０の信号出力を停止し、負荷７の動作を停止させる。したがって、通電遮断手段３による通電遮断部４への動作に関わらず、自身でも規定範囲外の電圧値の検出を行い、負荷７を停止させることができる。
【０１１０】
さらに、制御手段５の入力ポートＰ０１、Ｐ０２、Ｐ０３、Ｐ０４へ上述以外の値（信号）の組み合わせが入力された場合、制御手段５は、バッテリー１の出力電圧値を認識することができず、電圧検出手段２、または、伝達手段６が故障していると判断する。した
がって、制御手段５は、規定範囲外の電圧値と認識し、表示手段８にその旨の異常表示２を行なう。また、この場合の規定範囲外の電圧値、すなわち認識できない電圧値の場合は、負荷７の信頼性、および動作を保証することができないため、制御手段５は出力ポートＰ２０からの信号出力を停止し、負荷７の動作を停止させる。
【０１１１】
このように、規定範囲外の電圧値であって、上限値を越えた電圧値の場合、あるいは認識できない電圧値の場合は、制御手段５が電圧検出手段２、または、伝達手段６が故障していると判断し、負荷７を停止させてヒータ駆動装置の信頼性を確保することができる。
【０１１２】
また、制御手段５における入力ポートＰ０１、Ｐ０２、Ｐ０３、Ｐ０４の各入力信号が共にＶｃの信号である場合において、あるいは入力ポートＰ０１、Ｐ０２の入力値が「０」の信号であり、入力ポートＰ０３、Ｐ０４の入力信号がＶｃの信号の状態において、途中から入力ポートＰ０１の入力値のみが「０」の信号となった時、もしくは、入力ポートＰ０１、Ｐ０２、Ｐ０３の各入力値が「０」の信号となった時は、通電遮断手段３による通電遮断部４の動作不良であって、バッテリー１の電圧値が２４Ｖよりも低い電圧値、もしくはバッテリー１の電圧値が３０Ｖから４８Ｖの規定範囲外の電圧と認識している状態、換言すると表示手段８が異常表示１の表示を行っている状態から、バッテリー１の電圧値が規定範囲内の電圧値（２４Ｖから３０Ｖの範囲、もしくは４８Ｖから６０Ｖの範囲）の状態へ移行した現象が想定される。かかる場合は、制御手段５が負荷７、および表示手段８を初期化し、通常動作とする。この負荷７、および表示手段８の初期化は、例えば、規定範囲内の電圧値に復帰した後、制御手段５によって一時的に負荷７と表示手段８へ通電を行ない、そして一旦通電を遮断して再通電することにより行なうことができる。
【０１１３】
また、バッテリー１の出力電圧値が規定範囲内の２７Ｖから５４Ｖに変更された場合についても、上述と同様に負荷７、および表示手段８を初期化することが好ましい。
【０１１４】
したがって、通電遮断手段３による通電遮断部４の動作不良状態でも、待機電力以外、すなわち制御手段５が機能停止以外の状態では、通常時と同様に通常動作を行なうことができる。
【産業上の利用可能性】
【０１１５】
本発明にかかるバッテリー駆動装置は、電源となるバッテリーの出力電圧値を制御手段と電源遮断手段で認識し、規定範囲外の電圧値のバッテリーが使用された場合の通電遮断を、電源遮断手段と制御手段で行い、電源遮断手段が故障した場合でもその異常を表示し、同時に負荷への通電を停止するもので、安全性を重視し、待機電力の消費抑制を求める機器に適応することができるものである。
【図面の簡単な説明】
【０１１６】
【図１】本発明の実施の形態１におけるバッテリー駆動装置の機能を示すブロック図
【図２】同実施の形態１におけるバッテリー駆動装置の動作内容を示すフローチャート
【図３】同実施の形態１におけるバッテリー駆動装置の回路構成図
【図４】同実施の形態１におけるバッテリー装置の通電遮断部を構成する電源回路図
【図５】同実施の形態１におけるバッテリー装置の切換手段の回路図
【符号の説明】
【０１１７】
１  バッテリー
２  電圧検出手段
３  通電遮断手段
４  通電遮断部
５  制御手段
６  伝達手段
７  負荷
８  表示手段
９  制御ブロック
【図１】
2010233290.tif 000003
【図２】
2010233290.tif 000004
【図３】
2010233290.tif 000005
【図４】
2010233290.tif 000006
【図５】
2010233290.tif 000007